(57)【要約】【目的】金庫の盗難の防止に寄与する金庫床下格納装置の提供。【構成】床部材１の表面部２より下方に位置して上面に開口部を有した金庫収納枠体４を設け、金庫収納枠体内に金庫を載置する昇降載置台５を設け、且つ昇降載置台の昇降に伴って昇降載置台の上昇時は金庫が金庫収納枠体の開口部より露出し、下降時は金庫が金庫収納枠体の開口部より下部に位置するようにしたもので、昇降載置台の下面両側部に滑車取付部材９，９を介して昇降用ロープ１０を案内する第１滑車１２，１２を設け、更に昇降用ロープを案内する第２滑車１５を取付けた電動油圧ジャッキ１６を備え、又電動油圧ジャッキの上部に取付けた第２滑車の昇降に伴い第２滑車の上昇時は昇降載置台が上昇して金庫が金庫収納枠体の開口部より露出し、第２滑車の下降時は昇降載置台が下降して金庫が金庫収納枠体の開口部より下部に位置するようにしたことを特徴としている。【選択図】              図２
2004204500.tif 000002
【特許請求の範囲】
【請求項１】
床部材１の表面部２より下方に位置して上面に開口部３を有した金庫収納枠体４を設け、該金庫収納枠体４内に金庫を載置する昇降載置台５を設け、且つ昇降載置台５の昇降に伴って昇降載置台５の上昇時は金庫が金庫収納枠体４の開口部３より露出し、下降時は金庫が金庫収納枠体４の開口部３より下部に位置するようにしたことを特徴とする金庫床下格納装置。
【請求項２】
金庫収納枠体４内の両側に案内枠板６，６を第１間隙部７及び第２間隙部８を有して取付け、且つ昇降載置台５の下面両側部に滑車取付部材９，９を介して昇降用ロープ１０を案内する第１案内溝１１，１１を有した第１滑車１２，１２を設け、更に案内枠板６，６に第１滑車１２，１２を案内する案内縦孔１３，１３を設け、又更に金庫収納枠体４と一方の案内枠板６で形成した第１間隙部７に上部に昇降用ロープ１０を案内する第２案内溝１４を有した第２滑車１５を取付けた電動油圧ジャッキ１６を備え、且又昇降用ロープ１０の先端部１７を金庫収納枠体４と他方の案内枠板６で形成した第２間隙部８の上位置部１８に取付けると共に昇降用ロープ１０の中途部を第１滑車１２，１２の下方より第２滑車１５の上方に亘り張設して昇降用ロープ１０の後端部１９を金庫収納枠体４と一方の案内枠板６で形成した第１間隙部７の下位置部２０に取付け、電動油圧ジャッキ１６の上部に取付けた第２滑車１５の昇降に伴い第２滑車１５の上昇時は昇降載置台５が上昇して金庫が金庫収納枠体４の開口部３より露出し、第２滑車１５の下降時は昇降載置台５が下降して金庫が金庫収納枠体４の開口部３より下部に位置するようにしたことを特徴とする請求項１記載の金庫床下格納装置。
【請求項３】
金庫収納枠体４内の一側に案内補助枠板２１を第３間隙部２２を有して取付けると共に昇降載置台５の下面に手動ジャッキ２３を取付け、且つ第３間隙部２２の上部にジャッキハンドル２４の着脱部２５を備え、更に手動ジャッキ２３と着脱部２５との間にジャッキ操作連接部２６を備えると共に着脱部２５に連結取付けたジャッキハンドル２４の回転操作に伴いジャッキ操作連接部２６及び手動ジャッキ２３が作動して昇降載置台５に載置した金庫が昇降載置台５の昇降に伴って昇降載置台５の上昇時は金庫が金庫収納枠体４の開口部３より露出し、下降時は金庫が金庫収納枠体４の開口部３より下部に位置するようにしたことを特徴とする請求項１記載の金庫床下格納装置。
【発明の詳細な説明】
【０００１】
【産業上の利用分野】
この発明は、金庫の盗難の防止に寄与する金庫床下格納装置に関するものである。
【０００２】
【従来の技術】
従来、金庫の盗難防止のために金庫を床面に固定するなどの手段で盗難を極力阻止することは知られている。
【０００３】
【発明が解決しようとする問題点】
ところが従来の金庫を床面に固定するなど手段構造が複雑で固定手段を簡便に行うことができず、更に固定手段のための費用が嵩ばって盗難防止が容易でなく、使い勝手が悪く、好適に盗難を阻止することができない等の欠点があった。
【０００４】
この発明は上記の問題点を解決したものであり、費用が嵩ばることなく盗難防止が容易確実で、使い勝手がよく、好適に盗難を阻止することができる金庫床下格納装置を得ることを目的としたものである。
【０００５】
【問題点を解決するための手段】
上記の目的を達成するためこの発明は、床部材１の表面部２より下方に位置して上面に開口部３を有した金庫収納枠体４を設け、該金庫収納枠体４内に金庫を載置する昇降載置台５を設け、且つ昇降載置台５の昇降に伴って昇降載置台５の上昇時は金庫が金庫収納枠体４の開口部３より露出し、下降時は金庫が金庫収納枠体４の開口部３より下部に位置するようにしたものである。
【０００６】
又、金庫収納枠体４内の両側に案内枠板６，６を第１間隙部７及び第２間隙部８を有して取付け、且つ昇降載置台５の下面両側部に滑車取付部材９，９を介して昇降用ロープ１０を案内する第１案内溝１１，１１を有した第１滑車１２，１２を設け、更に案内枠板６，６に第１滑車１２，１２を案内する案内縦孔１３，１３を設け、又更に金庫収納枠体４と一方の案内枠板６で形成した第１間隙部７に上部に昇降用ロープ１０を案内する第２案内溝１４を有した第２滑車１５を取付けた電動油圧ジャッキ１６を備え、且又昇降用ロープ１０の先端部１７を金庫収納枠体４と他方の案内枠板６で形成した第２間隙部８の上位置部１８に取付けると共に昇降用ロープ１０の中途部を第１滑車１２，１２の下方より第２滑車１５の上方に亘り張設して昇降用ロープ１０の後端部１９を金庫収納枠体４と一方の案内枠板６で形成した第１間隙部７の下位置部２０に取付け、電動油圧ジャッキ１６の上部に取付けた第２滑車１５の昇降に伴い第２滑車１５の上昇時は昇降載置台５が上昇して金庫が金庫収納枠体４の開口部３より露出し、第２滑車１５の下降時は昇降載置台５が下降して金庫が金庫収納枠体４の開口部３より下部に位置するようにしたものである。
【０００７】
又、金庫収納枠体４内の一側に案内補助枠板２１を第３間隙部２２を有して取付けると共に昇降載置台５の下面に手動ジャッキ２３を取付け、且つ第３間隙部２２の上部にジャッキハンドル２４の着脱部２５を備え、更に手動ジャッキ２３と着脱部２５との間にジャッキ操作連接部２６を備えると共に着脱部２５に連結取付けたジャッキハンドル２４の回転操作に伴いジャッキ操作連接部２６及び手動ジャッキ２３が作動して昇降載置台５に載置した金庫が昇降載置台５の昇降に伴って昇降載置台５の上昇時は金庫が金庫収納枠体４の開口部３より露出し、下降時は金庫が金庫収納枠体４の開口部３より下部に位置するようにしたものである。
【０００８】
【実施例】
以下図面についてこの発明の実施例を説明すると、床部材１の表面部２より下方に位置して上面に開口部３を有した鋼板製等の金庫収納枠体４を設け、該金庫収納枠体４内に金庫３２を載置する昇降載置台５を設け、且つ昇降載置台５に載置した金庫３２の昇降載置台５の昇降に伴って昇降載置台５の上昇時は金庫３２が金庫収納枠体４の開口部３より露出し、下降時は金庫３２が金庫収納枠体４の開口部３より下部に位置するようにしたものである（図１〜図３及び図８〜図１１参照）。
【０００９】
又、金庫収納枠体４は床部材１に開口した開口内周縁２７に係止する係止鍔２８を設けると共に係止鍔２８の前後両側に床部材１の表面部２と同一面となる鋼板製等の補強板片２９，２９を溶接等の手段で固着したものであり、又補強板片２９，２９間の左右両側に床部材１の表面部２と同一面となる鋼板製等の被覆床板３０，３０を設けたものである（図１〜図３及び図８〜図１１参照）。
【００１０】
又、金庫収納枠体４内の両側に鋼板製等の案内枠板６，６を溶接等の手段で第１間隙部７及び第２間隙部８を有して取付け、且つ昇降載置台５の下面両側部に滑車取付部材９，９を介して昇降用ロープ１０を案内する第１案内溝１１，１１を有した第１滑車１２，１２を設け、更に案内枠板６，６に第１滑車１２，１２の両面一部を挿入して案内する案内縦孔１３，１３を設け、又更に金庫収納枠体４と一方の案内枠板６で形成した第１間隙部７に上部に昇降用ロープ１０を案内する第２案内溝１４を有した第２滑車１５を取付けた電動油圧ジャッキ１６を備えると共に該電動油圧ジャッキ１６は第１間隙部７内に設けた電動油圧ジャッキ操作体３５への通電操作、即ち家屋内の適当位置に設けたスイッチ操作部を介しての通電操作に伴い作動するものであり、且又昇降用ロープ１０の先端部１７を金庫収納枠体４と他方の案内枠板６で形成した第２間隙部８の上位置部１８に取付けると共に昇降用ロープ１０の中途部を第１滑車１２，１２の下方より第２滑車１５の上方に亘り張設して昇降用ロープ１０の後端部１９を金庫収納枠体４と一方の案内枠板６で形成した第１間隙部７の下位置部２０に取付け、更に電動油圧ジャッキ１６の上部に取付けた第２滑車１５の昇降に伴い第２滑車１５の上昇時は昇降載置台５が上昇して金庫３２が金庫収納枠体４の開口部３より露出し、第２滑車１５の下降時は昇降載置台５が下降して金庫３２が金庫収納枠体４の開口部３より下部に位置するようにしたものである（図１〜図７参照）。
【００１１】
又、昇降載置台５の下面両側部に設けた滑車取付部材９，９間にロープ脱落防止パイプ３６を取付け、このロープ脱落防止パイプ３６内に昇降用ロープ１０を挿通して昇降用ロープ１０と第１滑車１２，１２との離脱を防止したものである（図２参照）。
【００１２】
又、第１間隙部７及び第２間隙部８の上部には金庫収納枠体４に設けた係止鍔２８に亘り被覆床板３０，３０で被覆したものてある（図１〜図３参照）。
【００１３】
又、他の実施例では金庫収納枠体４内の一側に案内補助枠板２１を第３間隙部２２を有して溶接等の手段で取付けると共に昇降載置台５の下面に手動ジャッキ２３を取付け、且つ第３間隙部２２の上部にジャッキハンドル２４の着脱部２５を備え、更に手動ジャッキ２３と着脱部２５との間に角度を自由に屈曲できる自在継ぎ手３３を有したジャッキ操作連接部２６を備えると共に着脱部２５に連結取付けたジャッキハンドル２４の回転操作に伴いジャッキ操作連接部２６及び手動ジャッキ２３が作動して昇降載置台５に載置した金庫３２が昇降載置台５の昇降に伴って昇降載置台５の上昇時は金庫３２が金庫収納枠体４の開口部３より露出し、下降時は金庫が金庫収納枠体４の開口部３より下部に位置するようにしたものであり、且つ案内補助枠板２１の下方にジャッキ操作連接部２６を挿通した挿通孔３４を設けたものである（図８〜図１１参照）。
【００１４】
又、第３間隙部２２の上部には金庫収納枠体４に設けた係止鍔２８に亘りジャッキハンドル挿入孔３１を設けた被覆床板３０で被覆したものてあり、一方の被覆床板３０は金庫収納枠体４に設けた係止鍔２８のみに被覆したものである（図８〜図１１参照）。
【００１５】
【発明の作用効果】
この発明は以上のような構成であり、床部材１の表面部２より下方に位置して上面に開口部３を有した金庫収納枠体４を設け、該金庫収納枠体４内に金庫３２を載置する昇降載置台５を設け、且つ降載置台５の昇降に伴って昇降載置台５の上昇時は金庫３２が金庫収納枠体４の開口部３より露出し、下降時は金庫２４が金庫収納枠体４の開口部３より下部に位置するようにしたものである。
【００１６】
よって、夜間においては金庫３２を載置した昇降載置台５を下降させて金庫３２が金庫収納枠体４の開口部３より下部に位置するようにしたことで金庫の盗難の防止に寄与するものである。
【００１７】
又、金庫収納枠体４内の両側に案内枠板６，６を第１間隙部７及び第２間隙部８を有して取付け、昇降載置台５の下面両側部に滑車取付部材９，９を介して昇降用ロープ１０を案内する第１案内溝１１，１１を有した第１滑車１２，１２を設け、更に案内枠板６，６に第１滑車１２，１２を案内する案内縦孔１３，１３を設け、又更に金庫収納枠体４と一方の案内枠板６で形成した第１間隙部７に上部に昇降用ロープ１０を案内する第２案内溝１４を有した第２滑車１５を取付けた電動油圧ジャッキ１６を備え、且又昇降用ロープ１０の先端部１７を金庫収納枠体４と他方の案内枠板６で形成した第２間隙部８の上位置部１８に取付けると共に昇降用ロープ１０の中途部を第１滑車１２，１２の下方より第２滑車１５の上方に亘り張設して昇降用ロープ１０の後端部１９を金庫収納枠体４と一方の案内枠板６で形成した第１間隙部７の下位置部２０に取付け、電動油圧ジャッキ１６の上部に取付けた第２滑車１５の昇降に伴い第２滑車１５の上昇時は昇降載置台５が上昇して金庫が金庫収納枠体４の開口部３より露出し、第２滑車１５の下降時は昇降載置台５が下降して金庫３２が金庫収納枠体４の開口部３より下部に位置するようにしたことによって電動油圧ジャッキ１６に対する通電操作により夜間においては金庫３２を載置した昇降載置台５を下降させて金庫２４が金庫収納枠体４の開口部３より下部に位置するようにすることがで金庫３２の夜間又は休日等の盗難の恐れがある時間帯に於ける盗難を阻止することができるものであり、金庫３２内に対する貨幣又は貴重品の収納・取出し操作時等は昇降載置台５を上昇させて行うことができるものである。
【００１８】
又、案内枠板６，６に第１滑車１２，１２を案内する案内縦孔１３，１３を設けことによって第１滑車１２，１２が案内縦孔１３，１３に案内されて安定よく昇降すると共に昇降載置台５が妄りに揺動することなく円滑に昇降して金庫３２の昇降操作を適格に行うことができるものである。
【００１９】
又、第１滑車１２，１２には昇降用ロープ１０を案内する第１案内溝１１，１１を設け、第２滑車１５には昇降用ロープ１０を案内する第２案内溝１４を設けると共に昇降用ロープ１０は案内枠板６，６に設けた案内縦孔１３，１３に挿通して取付けられているので昇降用ロープ１０が第１滑車１２，１２及び第２滑車１５より外れるようなことがなく第２滑車１５の昇降に伴って昇降載置台５を確実に昇降させることができるものである。
【００２０】
又、金庫収納枠体４内の一側に案内補助枠板２１を第３間隙部２２を有して取付けると共に昇降載置台５の下面に手動ジャッキ２３を取付け、且つ第３間隙部２２の上部にジャッキハンドル２４の着脱部２５を備え、更に手動ジャッキ２３と着脱部２５との間にジャッキ操作連接部２６を備えると共に着脱部２５に連結取付けたジャッキハンドル２４の回転操作に伴いジャッキ操作連接部２６及び手動ジャッキ２３が作動して昇降載置台５に載置した金庫３２が昇降載置台５の昇降に伴って昇降載置台５の上昇時は金庫３２が金庫収納枠体４の開口部３より露出し、下降時は金庫３２が金庫収納枠体４の開口部３より下部に位置するようにしたもので電動操作に伴う停電等に関係なく、更に設備費を安価として昇降載置台５を昇降させて昇降載置台５に載置した金庫３２の盗難阻止を簡単確実に行うことができるものである。
【００２１】
又、ジャッキハンドル２４は着脱部２５を介して着脱するようにしたので金庫３２の使用に関係がない人は昇降載置台５を昇降させることができず、金庫３２の盗難を阻止することができるものである。
【００２２】
この発明は以上のように費用が嵩ばることなく盗難防止が容易確実で、使い勝手がよく、好適に盗難を阻止することができる等の幾多の産業的作用効果を奏するものである。
【図面の簡単な説明】
【図１】１部切欠上面図である。
【図２】要部を示した断面図である。
【図３】金庫収納枠体と案内枠板と被覆天板との関係を示した斜視図である。
【図４】案内枠板の間隙部と第１滑車と昇降用ロープとの関係を示した正面図である。
【図５】案内枠板の間隙部と第１滑車と昇降用ロープとの関係を示した側面図である。
【図６】昇降載置台が下降した状態を示した断面図である。
【図７】昇降載置台が上昇した状態を示した断面図である。
【図８】他の実施例に於ける１部切欠上面図である。
【図９】図８に於ける昇降載置台が下降した状態を示したＡ−Ａ断面図である。
【図１０】図８に於ける昇降載置台が上昇した状態を示したＡ−Ａ断面図である。
【図１１】他の実施例に於ける金庫収納枠体と案内枠板と被覆床板との関係を示した斜視図である。
【符号の説明】
１  床部材
２  表面部
３  開口部
４  金庫収納枠体
５  昇降載置台
６  案内枠板
７  第１間隙部
８  第２間隙部
９  滑車取付部材
１０  昇降用ロープ
１１  第１案内溝
１２  第１滑車
１３  案内縦孔
１４  第２案内溝
１５  第２滑車
１６  電動油圧ジャッキ
１７  先端部
１８  上位置部
１９  後端部
２０  下位置部
２１  案内補助枠板
２２  第３間隙部
２３  手動ジャッキ
２４  ジャッキハンドル
２５  着脱部
２６  ジャッキ操作連接部
２７  開口内周縁
２８  係止鍔
２９  補強板片
３０  被覆床板
３１  ジャッキハンドル挿入孔
３２  金庫
３３  自在継ぎ手
３４  挿通孔
３５  電動油圧ジャッキ操作体
３６  ロープ脱落防止パイプ
【図１】
2004204500.tif 000003
【図２】
2004204500.tif 000004
【図３】
2004204500.tif 000005
【図４】
2004204500.tif 000006
【図５】
2004204500.tif 000007
【図６】
2004204500.tif 000008
【図７】
2004204500.tif 000009
【図８】
2004204500.tif 000010
【図９】
2004204500.tif 000011
【図１０】
2004204500.tif 000012
【図１１】
2004204500.tif 000013